【事件の表示】
　平成１０年特許願第１７３５２３号「配信システム、配信方法、受信装置及び受信方法」拒絶査定不服審判事件〔平成１１年　８月　６日出願公開、特開平１１−２１３６３９〕について、次のとおり審決する。
【結　論】
　本件審判の請求は、成り立たない。
【理　由】
第１　手続の経緯　
 　本願は、平成１０年６月１９日（優先権主張平成９年８月６日、平成９年１１月１８日）の出願であって、平成１７年１２月８日付け拒絶理由通知に対して、平成１８年２月１日付けで手続補正がなされたが、平成１８年２月２８日付けで拒絶の査定がなされ、これに対し、平成１８年４月６日付けで拒絶査定不服審判が請求されるとともに、同年５月８日付けで手続補正がなされたものである。　
　
 第２　平成１８年５月８日付け手続補正についての補正却下の決定　
［補正却下の決定の結論］　
　平成１８年５月８日付けの手続補正を却下する。　
　
［理　由］　
１．補正後の本願発明  　
　平成１８年５月８日付けの手続補正（以下「本件補正」という。）は、特許請求の範囲についてするもので、本件補正前に　
「　【請求項１】　
　情報センターから配信される圧縮された複数のオーディオプログラムと上記配信される複数のオーディオプログラムに関する関連情報をブロック化するブロック化手段と、　
　上記ブロック化手段にてブロック化した圧縮された複数のオーディオプログラムと関連情報を送信する送信手段と、  　
　上記送信手段から送信されてくる圧縮された複数のオーディオプログラムと関連情報を受信する受信手段と、  　
　上記受信手段にて受信した圧縮された複数のオーディオプログラムと関連情報を分離する分離手段と、  　
　上記分離手段にて分離した圧縮された複数のオーディオプログラムを記録媒体に記録する記録手段と、　
　上記関連情報に基づいて記録される上記複数のオーディオプログラムをオーディオプログラム毎に分離されるように制御する制御手段と、　
　上記分離手段にて分離した関連情報をユーザに告知する告知手段とを備えてなる配信システム。　
　【請求項２】　
　上記関連情報は配信される圧縮されたオーディオプログラムのデータサイズ情報であることを特徴とする請求項１記載の配信システム。　
　【請求項３】  　
　上記関連情報は配信される圧縮されたオーディオプログラムのタイトル情報であることを特徴とする請求項１記載の配信システム。　
　【請求項４】　
　上記関連情報は配信される圧縮されたオーディオプログラムに関する画像情報であることを特徴とする請求項１記載の配信システム。　
　【請求項５】　
　上記告知手段は、上記配信されてくる圧縮されたオーディオプログラムに関するタイトル情報に基づいてタイトル名を表示することを特徴とする請求項３記載の配信システム。　
　【請求項６】　
　上記告知手段は、上記配信されてくる圧縮されたオーディオプログラムに関する画像情報に基づいて画像表示することを特徴とする請求項４記載の配信システム。　
　【請求項７】　
　上記分離手段にて分離した関連情報である配信される圧縮されたオーディオプログラムのデータサイズと上記記録媒体の記録可能残存容量とを比較する比較手段をさらに備え、　
　上記比較手段による比較結果に基づいて、上記配信される圧縮されたオーディオプログラムのデータサイズが上記記録媒体の記録可能残存容量以上である場合には、上記告知手段により警告を行うことを特徴とする請求項３記載の配信システム。　
　【請求項８】　
　上記送信手段は、所定のオーディオプログラムと引き続き送信されるオーディオプログラムを所定期間遅延して送信することを特徴とする請求項１記載の配信システム。　
　【請求項９】　
　上記分離手段にて分離した圧縮されたオーディオプログラムを一旦蓄積する記憶手段と、　
　上記記憶手段から読み出した圧縮されたオーディオプログラムを記録媒体に記録する記録手段と、　
　上記記憶手段の記憶容量を検知する検知手段とをさらに備え、　
　上記記憶手段に蓄積されたオーディオプログラムが所定量を超えた場合には、遅延して送信される次のオーディオプログラムを記憶手段に記憶することを特徴とする請求項８記載の配信システム。　
　【請求項１０】　
　上記遅延時間は上記記憶手段に蓄積されたオーディオプログラムの蓄積時間よりも大なることを特徴とする請求項９記載の配信システム。　
　【請求項１１】　
　上記告知手段は、上記記録手段が上記複数のオーディオプログラムを記録するとき、上記関連情報をユーザに告知する請求項１記載の配信システム。
　【請求項１２】　
　上記制御手段は、上記複数のオーディオプログラムの各オーディオプログラムのスタートアドレスとエンドアドレスを記録するように制御する請求項１記載の配信システム。　
　【請求項１３】　
　情報センターから配信される圧縮された複数のオーディオプログラムと上記配信される複数のオーディオプログラムに関する関連情報をブロック化し、　
　上記ブロック化された圧縮された複数のオーディオプログラムと関連情報を送信し、　
　上記送信されてくる圧縮された複数のオーディオプログラムと関連情報を受信し、　
　上記受信した圧縮された複数のオーディオプログラムと関連情報を分離し、　
　上記分離した圧縮された複数のオーディオプログラムを記録媒体に記録し、　
　上記関連情報に基づいて記録される上記複数のオーディオプログラムをオーディオプログラム毎に分離されるように制御するとともに、　
　上記関連情報をユーザに告知することを特徴とする配信方法。　
　【請求項１４】　
　圧縮された複数のオーディオプログラムと上記複数のオーディオプログラムに関する関連情報をブロック化し、ブロック化された圧縮された複数のオーディオプログラムと関連情報を送信する情報センターからの送信データを受信する受信装置であって、　
　上記情報センターから送信されてくる圧縮された複数のオーディオプログラムと関連情報を受信する受信手段と、　
　上記受信手段にて受信した圧縮された複数のオーディオプログラムと関連情報を分離する分離手段と、　
　上記分離手段にて分離した圧縮された複数のオーディオプログラムを記録媒体に記録する記録手段と、　
　上記関連情報に基づいて記録される上記複数のオーディオプログラムをオーディオプログラム毎に分離されるように制御する制御手段と、　
　上記分離手段にて分離した関連情報をユーザに告知する告知手段とを備えてなる受信装置。　
　【請求項１５】　
　圧縮された複数のオーディオプログラムと上記複数のオーディオプログラムに関する関連情報をブロック化し、ブロック化された圧縮された複数のオーディオプログラムと関連情報を送信する情報センターからの送信データを受信する受信方法であって、　
　上記情報センターから送信されてくる圧縮された複数のオーディオプログラムと関連情報を受信し、　
　上記受信した圧縮された複数のオーディオプログラムと関連情報を分離し、　
　上記分離した圧縮された複数のオーディオプログラムを記録媒体に記録し、　
　上記関連情報に基づいて記録される上記複数のオーディオプログラムをオーディオプログラム毎に分離されるように制御するとともに、　
　上記関連情報をユーザに告知することを特徴とする受信方法。　
　【請求項１６】
　複数のプログラムと当該プログラムの関連情報が一連のデータストリームとして供給されるデータを受信する受信手段と、　
　上記一連のデータストリームから上記複数のプログラムと上記関連情報を分離する分離手段と、　
　分離される上記複数のプログラムを記録する記録手段と、　
　上記関連情報に基づいて記録される上記複数のプログラムをプログラム毎に分離されるように制御する制御手段とを備える受信装置。　
　【請求項１７】　
　上記制御手段は、上記複数のプログラムの各プログラムのスタートアドレスとエンドアドレスを記録するように制御する請求項１６の受信装置。　
　【請求項１８】　
　上記関連情報はプログラムのサイズ情報を含み、上記制御手段は当該サイズ情報に基づいて上記複数のプログラムをプログラム毎に分離されるように制御する請求項１７記載の受信装置。　
　【請求項１９】　
　上記関連情報はプログラムのサイズ情報、画像情報、タイトルのなかで少なくとも一つを含み、上記制御手段は少なくとも一つの情報を記録するように制御する請求項１６記載の受信装置。　
　【請求項２０】　
　上記制御手段は、分離される上記複数のプログラムを記録するとき記録を行うプログラムの関連情報を表示するように制御する請求項１６記載の受信装置。　
　【請求項２１】　
　上記プログラムはオーディオプログラムであり、上記表示される関連情報は曲名である請求項２０記載の受信装置。 」　
 とあったものを、　
　
「　【請求項１】　
　情報センターから配信される圧縮された複数のオーディオプログラムと上記配信される複数のオーディオプログラムに関する、各々のオーディオプログラムのサイズ情報を含む関連情報をブロック化するブロック化手段と、
　上記ブロック化手段にてブロック化した圧縮された複数のオーディオプログラムと関連情報を一つのデータである一連のデータストリームとして送信する送信手段と、　
　上記送信手段から一つのデータである一連のデータストリームとして送信されてくる圧縮された複数のオーディオプログラムと関連情報を受信する受信手段と、　
　上記受信手段にて受信した圧縮された複数のオーディオプログラムと関連情報を分離する分離手段と、　
　上記分離手段にて分離した圧縮された複数のオーディオプログラムを記録媒体に記録する記録手段と、　
　上記関連情報に含まれている上記各々のオーディオプログラムのサイズ情報に基づいて記録される上記複数のオーディオプログラムをオーディオプログラム毎に分離されるように制御する制御手段と、　
　上記分離手段にて分離した関連情報をユーザに告知する告知手段とを備えてなる配信システム。　
　【請求項２】　
　上記関連情報は配信される圧縮されたオーディオプログラムのタイトル情報をさらに含むことを特徴とする請求項１記載の配信システム。　
　【請求項３】　
　上記関連情報は配信される圧縮されたオーディオプログラムに関する画像情報をさらに含むことを特徴とする請求項１記載の配信システム。　
　【請求項４】　
　上記告知手段は、上記配信されてくる圧縮されたオーディオプログラムに関するタイトル情報に基づいてタイトル名を表示することを特徴とする請求項２記載の配信システム。　
　【請求項５】　
　上記告知手段は、上記配信されてくる圧縮されたオーディオプログラムに関する画像情報に基づいて画像表示することを特徴とする請求項３記載の配信システム。　
　【請求項６】　
　上記分離手段にて分離した関連情報である配信される圧縮されたオーディオプログラムのデータサイズと上記記録媒体の記録可能残存容量とを比較する比較手段をさらに備え、　
　上記比較手段による比較結果に基づいて、上記配信される圧縮されたオーディオプログラムのデータサイズが上記記録媒体の記録可能残存容量以上である場合には、上記告知手段により警告を行うことを特徴とする請求項２記載の配信システム。　
　【請求項７】　
　上記送信手段は、所定のオーディオプログラムと引き続き送信されるオーディオプログラムを所定期間遅延して送信することを特徴とする請求項１記載の配信システム。　
　【請求項８】　
　上記分離手段にて分離した圧縮されたオーディオプログラムを一旦蓄積する記憶手段と、　
　上記記憶手段から読み出した圧縮されたオーディオプログラムを記録媒体に記録する記録手段と、  　
　上記記憶手段の記憶容量を検知する検知手段とをさらに備え、　
　上記記憶手段に蓄積されたオーディオプログラムが所定量を超えた場合には、遅延して送信される次のオーディオプログラムを記憶手段に記憶することを特徴とする請求項７記載の配信システム。　
　【請求項９】　
　上記遅延時間は上記記憶手段に蓄積されたオーディオプログラムの蓄積時間よりも大なることを特徴とする請求項８記載の配信システム。　
　【請求項１０】　
　上記告知手段は、上記記録手段が上記複数のオーディオプログラムを記録するとき、上記関連情報をユーザに告知する請求項１記載の配信システム。
　【請求項１１】　
　上記制御手段は、上記複数のオーディオプログラムの各オーディオプログラムのスタートアドレスとエンドアドレスを記録するように制御する請求項１記載の配信システム。　
　【請求項１２】　
　情報センターから配信される圧縮された複数のオーディオプログラムと上記配信される複数のオーディオプログラムに関する、各々のオーディオプログラムのサイズ情報を含む関連情報をブロック化し、　
　上記ブロック化された圧縮された複数のオーディオプログラムと関連情報を一つのデータである一連のデータストリームとして送信し、　
　上記一つのデータである一連のデータストリームとして送信されてくる圧縮された複数のオーディオプログラムと関連情報を受信し、　
　上記受信した圧縮された複数のオーディオプログラムと関連情報を分離し、　
　上記分離した圧縮された複数のオーディオプログラムを記録媒体に記録し、　
　上記関連情報に含まれている上記各々のオーディオプログラムのサイズ情報に基づいて記録される上記複数のオーディオプログラムをオーディオプログラム毎に分離されるように制御するとともに、上記関連情報をユーザに告知することを特徴とする配信方法。　
　【請求項１３】　
　圧縮された複数のオーディオプログラムと上記複数のオーディオプログラムに関する、各々のオーディオプログラムのサイズ情報を含む関連情報をブロック化し、ブロック化された圧縮された複数のオーディオプログラムと関連情報を一つのデータである一連のデータストリームとして送信する情報センターからの送信データを受信する受信装置であって、　
　上記情報センターから一つのデータである一連のデータストリームとして送信されてくる圧縮された複数のオーディオプログラムと関連情報を受信する受信手段と、　
　上記受信手段にて受信した圧縮された複数のオーディオプログラムと関連情報を分離する分離手段と、　
　上記分離手段にて分離した圧縮された複数のオーディオプログラムを記録媒体に記録する記録手段と、　
　上記関連情報に含まれている上記各々のオーディオプログラムのサイズ情報に基づいて記録される上記複数のオーディオプログラムをオーディオプログラム毎に分離されるように制御する制御手段と、　
　上記分離手段にて分離した関連情報をユーザに告知する告知手段とを備えてなる受信装置。　
　【請求項１４】　
　圧縮された複数のオーディオプログラムと上記複数のオーディオプログラムに関する、各々のオーディオプログラムのサイズ情報を含む関連情報をブロック化し、ブロック化された圧縮された複数のオーディオプログラムと関連情報を一つのデータである一連のデータストリームとして送信する情報センターからの送信データを受信する受信方法であって、　
　上記情報センターから一つのデータである一連のデータストリームとして送信されてくる圧縮された複数のオーディオプログラムと関連情報を受信し、　
　上記受信した圧縮された複数のオーディオプログラムと関連情報を分離し、　
　上記分離した圧縮された複数のオーディオプログラムを記録媒体に記録し、　
　上記関連情報に含まれている上記各々のオーディオプログラムのサイズ情報に基づいて記録される上記複数のオーディオプログラムをオーディオプログラム毎に分離されるように制御するとともに、　
　上記関連情報をユーザに告知することを特徴とする受信方法。　
　【請求項１５】　
　複数のプログラムと当該プログラムの各々のサイズ情報を含む関連情報が一つのデータである一連のデータストリームとして供給されるデータを受信する受信手段と、　
　上記一つのデータである一連のデータストリームから上記複数のプログラムと上記関連情報を分離する分離手段と、　
　分離される上記複数のプログラムを記録する記録手段と、　
　上記関連情報に含まれている上記プログラムの各々のサイズ情報に基づいて記録される上記複数のプログラムをプログラム毎に分離されるように制御する制御手段とを備える受信装置。　
　【請求項１６】　
　上記制御手段は、上記複数のプログラムの各プログラムのスタートアドレスとエンドアドレスを記録するように制御する請求項１５の受信装置。　
　【請求項１７】　
　上記関連情報はプログラムのサイズ情報、画像情報、タイトルのなかで少なくとも一つを含み、上記制御手段は少なくとも一つの情報を記録するように制御する請求項１６記載の受信装置。　
　【請求項１８】  　
　上記制御手段は、分離される上記複数のプログラムを記録するとき記録を行うプログラムの関連情報を表示するように制御する請求項１５記載の受信装置。　
　【請求項１９】　
　上記プログラムはオーディオプログラムであり、上記表示される関連情報は曲名である請求項１８記載の受信装置。 」　
　
 と本件補正前の請求項２，請求項１８を削除し、本件補正前の請求項１，請求項１３，請求項１４，請求項１５，請求項１６に、上記削除した各請求項の「要するに、関連情報がデータサイズ情報であり」「サイズ情報に基づいて複数の（オーディオ）プログラムを（オーディオ）プログラム毎に分離する」構成要件を追加するとともに、「一連のデータストリーム」が「ひとつのデータである一連のデータストリーム」である点に限定して請求項１乃至１９に項番整理するものである。　
　
　すると、本件補正後の請求項１５についてみれば、本件補正前の請求項１６を補正して「当該プログラムの関連情報」が「当該プログラムの各々のサイズ情報を含む関連情報」にある点で限定し、「一連のデータストリーム」が「ひつのデータである一連のデータストリーム」にある点で限定するものとなるから、平成１８年改正前特許法第１７条の２第４項第２号に掲げる特許請求の範囲の減縮を目的とするものである。　
　
　そこで、本件補正における上記請求項１５に係る発明（以下「本願補正発明」という。）が特許出願の際独立して特許を受けることができるものであるか（平成１８年改正前特許法第１７条の２第５項において準用する同法第１２６第５項に規定する要件を満たすか）否かについて以下検討する。　
　
２．刊行物及びその記載  　
　原査定の拒絶の理由に引用された、本願出願前に頒布された刊行物である特開平７−１４７０６３号公報（以下「刊行物」という。）には、図面とともに以下の技術事項が記載されている。（なお、下線は当審で付与した。）　
（１）「【００２３】そして、
ディスク装置では受信再生モードの設定に基づいて前記のようにスイッチ回路23が受信バッファ22と信号処理部11を接続させており、受信データを信号処理部11へ転送することになる。
【００２４】
また、データ受信の開始後、相手局はＡＶデータの伝送に先立ってＴＯＣデータを伝送するが、ディスク装置側でそのＴＯＣデータに基づいて伝送データがＣＤフォーマットかＤＶＤフォーマットかを判別する手順、ＣＤフォーマットの場合にＣＤ再生処理モードを設定する手順、最初のトラックに相当する伝送データがＭＰＥＧデータか否かを確認してＤＶＤ再生処理モードを設定する手順、及び楽曲等の再生手順等については、再生するデータがディスク1のデータか受信データかの相違だけであり、前記のディスク再生モードの場合と同様に実行される(S38〜S57)。
　
（２）「【００２６】
ところで、このディスク装置の特徴は受信記録モードで相手局から伝送されるＡＶデータをディスク1に記録する点にあり、その受信再生モードでの動作手順は図５のフローチャートに示される。先ず、操作部15から受信記録モードが選択設定されると、ＣＰＵ17はスイッチ回路24の接続状態を受信バッファ22側(ｄ側)に、スイッチ回路23の接続状態も受信バッファ22側(ｂ側)にする。
【００２７】次に、
前記の受信再生モードの場合と同様に、相手局との呼設定と通信プロトコルの実行によってデータリンクを確立させ、ＡＤＳＬアダプタ21を受信レディにしてデータ転送要求を行う(S62)。また、データ受信開始後のＴＯＣデータに基づいたＣＤフォーマットかＤＶＤフォーマットかの判別手順、ＣＤフォーマットの場合にＣＤ再生処理モードを設定する手順、及び最初のトラックに相当する伝送データがＭＰＥＧデータか否かを確認してＤＶＤ再生処理モードを設定する手順に関しても受信再生モードの場合と同様に実行される(S63〜S65,S72〜S75)。
【００２８】そして、この受信記録モードではディスク1の空き記録容量が相手局から伝送されてくるデータを全て記録するのに十分であるかどうかを確認しておく必要があるため、先にセーブさせたＵ-ＴＯＣデータに基づいてディスク1の空き記録容量を時間に換算した値として求め、ま
た受信したＴＯＣデータに基づいて伝送される全てのデータの再生時間を求め、それらを比較することによりディスク1の空き記録容量が足りるか否かを判定する(S66,S76)。
【００２９】
前記の判定の結果、ディスク1の空き記録容量が足りている場合には、ディスク1に対する受信データの記録へ移行する。
予めサーボ制御回路6で駆動制御されているディスク1に対してレーザ駆動部9で記録部3のレーザパワー制御しながら受信ＣＤデータを記録する(S67,S69〜S71)。
　
　上記摘示事項を、図面とともに総合整理すると、刊行物１には以下の発明が記載されているものと認める。　
「受信記録モードで相手局から伝送されるＡＶデータをディスクに記録するディスク装置であって、　
　受信記録モードが選択設定されると、　
　受信再生モードの場合と同様に、データ受信の開始後、相手局はＡＶデータの伝送に先立ってＴＯＣデータを伝送し、　
　受信したＴＯＣデータに基づいて伝送される全てのデータの再生時間を求め、それらを比較することによりディスクの空き記録容量が足りるか否かを判定し、　
　判定の結果、ディスクの空き記録容量が足りている場合には、ディスクに対する受信データの記録へ移行し、　
　受信ＣＤデータを記録するディスク装置。」（以下「刊行物発明」という。）　
　
３．対比　
（ａ）刊行物発明の「ＡＶデータ」は、本願補正発明の「プログラム」に相当する。　
（ｂ）刊行物発明の「ＴＯＣデータ」は「伝送される全てのデータの再生時間」を含むものであり、本願補正発明の「プログラムの」「サイズ情報を含む関連情報」に相当する。　
（ｃ）刊行物発明では「相手局」から「ＡＶデータの伝送に先立ってＴＯＣデータ」が伝送されているから「ＡＶデータ」と「ＴＯＣデータ」が一連のデータストリームとして供給されるものであり、本願補正発明の「プログラムと当該プログラムのサイズ情報を含む関連情報」を「一連のデータストリームとして供給されるデータを受信する受信手段」に相当する機能を備えている。　
（ｄ）刊行物発明は「ＴＯＣデータ」により「伝送される全てのデータの再生時間を求め」「空き記録容量が足りるか否かを判定し」ているから、当然「相手局」から伝送された「ＡＶデータ」と「ＴＯＣデータ」を分離して処理を行っており、本願補正発明の「一連のデータストリームから」「プログラムと上記関連情報を分離する分離手段」に相当する機能を備えている。　
（ｅ）刊行物発明の「受信ＣＤデータを記録する」ための構成は、本願補正発明の「プログラムを記録する記録手段」に相当する。　
（ｆ）刊行物発明の「ディスク装置」は、「ＡＶデータ」を受信し記録するものであるから、刊行物発明の「受信装置」に対応する。　
　
 　したがって、本願補正発明と刊行物発明との［一致点］及び［相違点］は以下のとおりである。　
［一致点］　
 「プログラムと当該プログラムのサイズ情報を含む関連情報が一連のデータストリームとして供給されるデータを受信する受信手段と、　
　上記一連のデータストリームから上記プログラムと上記関連情報を分離する分離手段と、　
　分離される上記プログラムを記録する記録手段と、　
　を備える受信装置。」の点。　
　
［相違点］　
　本願補正発明では、プログラムが「複数のプログラム」であって当該プログラムの関連情報が「一つのデータ」として供給されるとともに、「関連情報に含まれている上記プログラムの各々のサイズ情報に基づいて記録される上記複数のプログラムをプログラム毎に分離されるように制御する制御手段を備える」のに対して、刊行物発明では、複数のプログラムを供給する点について記載されていない点。　
　
 ４．判断　
　上記相違点について検討する。　
　音楽データを受信し格納する装置において、複数個のファイルと当該ファイルのサイズ等の情報を一つにまとめたファイルを受信し、受信ファイルに格納されているサイズ情報に基づきプログラム分離し格納することは周知技術（例えば、特開平８−９５５８４号公報の【００４３】〜【００５０】及び図１２、特開平８−１１０７８５号公報等の【００４７】〜【００５４】及び図１２等参照）であって、前記周知技術は、音楽データをネットワークを介して受信し記憶装置に格納するものである点で刊行物発明と共通するものである。　
　したがって、刊行物発明においても、前記周知技術に基づいて、複数のＡＶファイルと当該ファイルのサイズ情報を一つにまとめたファイルで受信し、ファイルに格納されているサイズ情報に基づいて複数のＡＶファイルを分離し格納する構成を採用すること、要するに、複数のプログラムと当該プログラムの関連情報が一つのデータとして供給されて、関連情報に含まれている上記プログラムの各々のサイズ情報に基づいて記録される上記複数のプログラムをプログラム毎に分離されるように制御する制御手段を備える上記相違点の構成とすることは当業者が容易に想到し得ることである。  　
  　
　そして、上記相違点についての判断を総合しても本願補正発明の奏する効果は、刊行物及び上記周知技術から当業者が十分予測可能なもので格別のものではない。　
  　
　したがって、本願補正発明は、上記刊行物に記載された発明に周知技術を組合せることで当業者が容易に発明をすることができたものである。　
  　
５．本件補正についての結び　
　以上のとおり、本願補正発明は、特許法第２９条第２項の規定により、特許出願の際独立して特許を受けることができないものであるから、本件補正は、平成１８年改正前特許法第１７条の２第５項で準用する同法第１２６条第５項に規定する要件を満たさないものであり、特許法第１５９条第１項で読み替えて準用する同法第５３条第１項の規定により却下すべきものである。　
  　
 第３　本願発明について　
１．本願発明　
　平成１８年５月８日付けの手続補正は上記のとおり却下されたので、本願の請求項１乃至２１に係る発明は、平成１８年５月８日付け手続補正書により補正された明細書の特許請求の範囲の請求項１乃至２１に記載された事項により特定されるとおりのものであるところ、請求項１６に係る発明（以下「本願発明」）は、「第２［理由］１．」に本件補正前の請求項１６として記載したとおりのものである。　
　
２．刊行物及びその記載　
　原査定の拒絶の理由で引用された刊行物及びその記載事項は、前記「第２［理由］２．」に記載したとおりである。　
　
３．対比・判断　
　本願発明は、上記「第２［理由］」で検討した本願補正発明の「当該プログラムの
各々のサイズ情報を含む
ひつのデータである
  　
　そうすると、本願発明の構成要件を全て含み、更に他の要件を付加したものに相当する本願補正発明が、前記「第２［理由］４．」に記載したとおり、刊行物に記載された発明及び周知技術に基づいて、当業者が容易に発明をすることができたものであるから、本願発明も、同様の理由により刊行物に記載された発明及び周知技術に基づいて当業者が容易に発明をすることができたものである。　
  　
４．むすび　
　以上のとおり、本願の請求項１６に係る発明は、特許法第２９条第２項の規定により特許を受けることができないものである。
　したがって、その余の請求項について論及するまでもなく、本願は、拒絶すべきものである。　
　よって、結論のとおり審決する。